(57)【要約】  【課題】  電気掃除機において、使用中は常時、コードリール室内の温度上昇を抑制する。  【解決手段】  コードリール室１３と集塵室１１とを仕切る隔壁２のうち集塵室１１側から視て二次フィルタ６により覆われた部分に、コードリール室１３を負圧風路４に連通させる連通孔２ａを形成し、電動送風機１５の運転中はコードリール室１３内の空気Ａ２を常に外部の空気Ａ２と入れ替えて、コードリール室１３の温度上昇を抑制する。【選択図】          図２
2006034492.tif 000002
【特許請求の範囲】
【請求項１】
本体の内部に、電動送風機が収容された送風機室と、前記電動送風機によって吸込負圧が作用する集塵室と、コードリールが収容されたコードリール室とが形成された電気掃除機において、
前記本体の内部に、前記コードリール室を前記集塵室から前記電動送風機に至る負圧風路に連通させる連通孔を形成してなることを特徴とする電気掃除機。
【請求項２】
前記集塵室と前記電動送風機室とを仕切る隔壁に、前記負圧風路を形成する風路孔が形成され、前記隔壁の前記集塵室側の面上に、前記風路孔および該風路孔の外縁よりも外方部分を覆う二次フィルタが配設され、前記隔壁のうち前記二次フィルタに覆われた領域であって前記集塵室と前記コードリール室との隔壁となる部分に、前記連通孔を形成してなることを特徴とする請求項１に記載の電気掃除機。
【発明の詳細な説明】
【技術分野】
【０００１】
本発明は電気掃除機に関し、詳細には、本体の内部に電源コードが巻回されるコードリールを備えた電気掃除機の改良に関する。
【背景技術】
【０００２】
従来より、電気掃除機の本体内部には、電動送風機が収容された送風機室と、電動送風機によって吸込負圧が作用する集塵室と、コードリールが収容されたコードリール室とが形成されている。
【０００３】
ここで、コードリールには、商用電源のコンセントに差し込まれるプラグを先端に備えた電源コードが巻回されており、電気掃除機の使用時には本体からこのコードが引き出されて、プラグがコンセントに差し込まれ、電源コードを介して供給された電力によって電動送風機が作動するのは周知の通りである。
【０００４】
ここで、電動送風機の運転中は、電動送風機のみならず、通電によって電源コード自体やコードリールの電気接点も発熱するため、コードリール室内はこれらからの発熱によって温度が上昇する。
【０００５】
特に、集塵室内に配置された集塵袋（紙パックフィルタ等）の内容量が満杯となって目詰まり状態を呈したとき、または電気掃除機の吸込口体先端開口が塞がれたり、集塵室に通じるホースの内部通路に異物が詰まる等したときは、集塵室が過度の内圧低下状態を呈し、電動送風機に掛る負荷が過大となって、上述した電源コードや電気接点における発熱量も急上昇する。
【０００６】
そこで、集塵室とコードリール室とを仕切る隔壁に気圧変動弁を設けて、集塵室の内圧が過度に低下したときは、気圧変動弁を開放してコードリール室から空気を導入し、電動送風機の過負荷を抑制するとともにコードリール室内に気流を生じさせて、このコードリール室内の温度上昇を抑制する技術が提案されている（特許文献１）。
【特許文献１】特開平４−３０３４０７号公報
【発明の開示】
【発明が解決しようとする課題】
【０００７】
しかし、近年の電動送風機の定格出力増大により、上述した集塵室の過度の内圧低下が生じない状態においても、電源コードや電気接点の温度上昇は大きくなっており、集塵室の過度の内圧低下が生じた場合にのみ対処する上述した技術では、解決することができない問題となっている。
【０００８】
また、上記文献には、気圧変動弁によって温度上昇を抑制する技術が記載されているが、集塵袋によって気圧変動弁（隔壁）が塞がれることもあり、問題の解決には至っていない。
【０００９】
本発明は上記事情に鑑みなされたものであり、使用中においては常時、コードリール室内の温度上昇を抑制することができる電気掃除機を提供することを目的とする。
【課題を解決するための手段】
【００１０】
本発明に係る電気掃除機は、本体の内部に、電動送風機が収容された送風機室と、前記電動送風機によって吸込負圧が作用する集塵室と、コードリールが収容されたコードリール室とが形成された電気掃除機において、前記本体の内部に、前記コードリール室を前記集塵室から前記電動送風機に至る負圧風路に連通させる連通孔を形成してなることを特徴とする。
【発明の効果】
【００１１】
本発明に係る電気掃除機によれば、電動送風機の運転中においては、コードリール室内の空気の入替え、および空気の流れによって、コードリール室内の温度上昇を常時抑制することができる。
【発明を実施するための最良の形態】
【００１２】
以下、本発明に係る電気掃除機の最良の実施形態について、図面を参照して説明する。
【００１３】
図１は、本発明の一実施形態に係る電気掃除機１００の全体外観を示す斜視図である。図示の掃除機１００は、本体２０の吸込部２１に、接続管７０を介して、可撓性ホース６０、手元スイッチ５１が設けられた手元操作管５０、延長管４０および吸込口体３０が、これらの順に接続された構成である。
【００１４】
本体２０の内部には、その水平面に略平行な断面を表す図２に示すように、本体２０の内部に、電動送風機１５が収容された送風機室１２と、電動送風機１５によって吸込負圧が作用する集塵室１１と、コードリール１６が収容されたコードリール室１３とが形成されている。
【００１５】
ここで、集塵室１１には脱着式の紙パックフィルタ１４が配設され、吸込口体３０、延長管４０、手元操作管５０、ホース６０および接続管７０が連接して形成された吸引通路を通って空気Ａ１とともに吸引された塵埃を、この紙パックフィルタ１４の内部に集塵するように構成されている。
【００１６】
また、集塵室１１と送風機室１２とは第一の隔壁１によって仕切られ、集塵室１１とコードリール室１３とは第二の隔壁２によって仕切られ、送風機室１２とコードリール室１３とは第三の隔壁３によって仕切られている。
【００１７】
ただし、第一の隔壁１には、吸引開口１ａ（風路孔）が開成（形成）されているため、集塵室１１と送風機室１３とは連通し、電動送風機１５の運転によって発生する吸込負圧が集塵室１１に作用して、前述した紙パックフィルタ１４への集塵動作がなされる。つまり、この吸引開口１ａによって、集塵室１１から電動送風機１５に至る負圧風路４が形成されることとなる。
【００１８】
また、第一の隔壁１の集塵室１１側の面上には、吸引開口１ａおよび吸引開口１ａの外縁よりも外方部分を覆う二次フィルタ６が配設されており、この二次フィルタ６は、集塵室１１の紙パックフィルタ１４を通過した微小な塵埃が電動送風機１５に吸引されるのを阻止している。なお、二次フィルタ６としては、例えばスポンジのような多孔質の発泡体や、不織布など、公知の種々の材質のものを適用することができる。
【００１９】
そして、この二次フィルタ６は、第一の隔壁１から集塵室１１側に突出した断面略Ｌ字状の係止爪部材５と、第二の隔壁２から集塵室１側に突出した断面略Ｌ字状の係止爪部材５とによって所定位置に固定されている。
【００２０】
また、集塵室１１側から視て二次フィルタ６により覆われた第二の隔壁２の部分には、吸込部２１の開口面積に比して十分小さい大きさの、集塵室１１とコードリール室１３とを連通させる連通孔２ａが形成されている。したがって、コードリール室１３は、二次フィルタ６を介して間接的に負圧風路４に連通している。
【００２１】
一方、コードリール室１３に収容されたコードリール１６には、一端に、商用電源のコンセント２００に差し込まれるプラグ８１が備えられ、他端がコードリール１６の電気接点１６ａに接続された電源コード８０が巻回されている。そして、本体２０には、電源コード８０のコード部分よりも大きく、かつプラグ８１よりも小さいコード引出し孔２ｂが形成されており、電源コード８０はプラグ８１側が本体２０の外部に、他端側がコードリール室１３に配置されるように、このコード引出し孔２ｂに通されている。
【００２２】
次に、本実施形態に係る電気掃除機１００の作用について説明する。
【００２３】
電源コード８０が適当な長さだけ本体２０から引き出されて、プラグ８１がコンセント２００に差し込まれ、手元スイッチ５１が操作されることにより、電動送風機１５が運転を開始すると、負圧風路４の圧力が低くなり、二次フィルタ６を介して集塵室１１に吸引負圧が作用し、吸込口体３０、延長管４０、手元操作管５０、ホース６０および接続管７０が連接して形成された吸引通路を通り吸込部２１を介して空気Ａ１とともに吸引された塵埃が紙パックフィルタ１４の内部に集塵される。
【００２４】
このように、電動送風機１５により発生する吸引負圧によって集塵動作が行われるが、この吸引負圧はコードリール室１３にも作用する。
【００２５】
すなわち、電動送風機１５の運転によって負圧風路４が負圧になると、第二の隔壁２に形成された連通孔２ａを介して負圧風路４に連通したコードリール室１３内の空気Ａ２が負圧風路４に吸引され、この吸引動作に伴って、コードリール室１３には、コード引出し孔２ｂを介して本体２０の外部から新たな空気Ａ２が流入する。
【００２６】
そして、この空気Ａ２の吸引および流入の動作が継続的になされることにより、コードリール室１３内の空気Ａ２は常に外部の空気Ａ２と入れ替えられ、内部に滞留し続けることがない。
【００２７】
つまり、コードリール室１３内において電源コード８０や電気接点１６ａの発熱が生じても、絶えず入れ替えられる空気Ａ２によって、その熱がコードリール室１３から持ち出されるためコードリール室１３に熱が滞らず、しかも、流れる空気Ａ２が発熱源に接触することによって、その発熱源自体を冷却する効果も発揮するため、コードリール室１３の温度上昇を効果的に抑制することができる。
【００２８】
そして、この効果は、紙パックフィルタ１４が目詰まりする等して集塵室１１が過度の低下状態を呈した場合に限らず、電動送風機１５が運転されている期間中、すなわち掃除機１００が稼働している期間中は常時に発揮されるため、電動送風機１５の定格出力が増大する等して、コードリール室１３の温度上昇が懸念される場合にも、実用面における有用性が高い。
【００２９】
さらに、本実施形態に係る電気掃除機１００は、コードリール室１３と負圧風路４とを連通される連通孔２ａが、集塵室１１側から視て二次フィルタ６によって覆われた位置に形成されているため、例えば紙パックフィルタ１４の交換等の目的で、集塵室１１のカバー（図示せず）が開かれた場合にも、集塵室１１からはその連通孔２ａは視認されることがないため、視認されることによって生じうる外観品質の低下を防止することができる。
【００３０】
しかも、コードリール室１３から負圧風路４に流入する空気Ａ２は、二次フィルタ６を通過した上で負圧風路４に流入するため、空気Ａ２に塵埃が混入していても、これら塵埃は二次フィルタ６によって捕集され、電動送風機１５に吸入されるのを阻止することができる。
【００３１】
また、本実施形態の電気掃除機１００は、連通孔２ａが、集塵室１１側から視て、二次フィルタ６を保持する断面略Ｌ字状の係止爪部材５の背面側に形成されているため、紙パックフィルタ１４が大きく膨らんだ場合にも、この紙パックフィルタ１４が係止爪部材５の背面側まで回り込むことがなく、したがって連通孔２ａが紙パックフィルタ１４によって塞がれることはない。
【００３２】
なお、上述した実施形態の電気掃除機１００は、コードリール室１３と集塵室１１とを仕切る第二の隔壁２であって二次フィルタ６によって覆われる部分に連通孔２ａを形成した例であるが、本発明に係る電気掃除機はこの形態に限定されるものではなく、電動送風機１５による吸引負圧をコードリール室１３に作用させるものであれば、上述した連通孔を他の隔壁等に形成した構成であってもよい。
【００３３】
すなわち、例えば図３に示すように、コードリール室１３と負圧風路４とを直接連通させるように、コードリール室１３と送風機室１２との間の第三の隔壁３に連通孔３ａ，３ｂを形成した構成を採用することもできる。
【００３４】
このように構成された実施形態の電気掃除機１００においては、コードリール室１３の内部の空気Ａ２は、連通孔３ａ，３ｂを通じて電動送風機１５に吸引されるため、図２に示した実施形態と同様に、電動送風機１５の運転中はコードリール室１３内の空気Ａ２が常に外部の空気Ａ２と入れ替えられ、内部に滞留し続けることがなく、コードリール室１３の温度上昇を効果的に抑制することができる。
【００３５】
また、これらの連通孔３ａ，３ｂは、集塵室１１に形成されているものではないため、紙パックフィルタ１４によって塞がれることがない。
【００３６】
なお、上述した図２，３に示した実施形態の電気掃除機１００の送風機室１２は、図示しない高さ方向の部分において、本体２０の外部と通じる排気口が設けられているため、電動送風機１５の動作によって送風機室１３の内部圧力が過度に上昇することはない。
【図面の簡単な説明】
【００３７】
【図１】本発明に係る電気掃除機の一実施形態を示す斜視図である。
【図２】図１に示した電気掃除機本体の内部の要部を示す略水平断面図である。
【図３】他の実施形態を示す、図２相当の略水平断面図である。
【符号の説明】
【００３８】
１〜３  隔壁
２ａ，３ａ，３ｂ  連通孔
４      負圧風路
５      係止爪部材
６      二次フィルタ
１１    集塵室
１２    送風機室
１３    コードリール室
１４    紙パックフィルタ
１５    電動送風機
１６    コードリール
２０    掃除機本体
２１    吸込部
８０    電源コード
１００  電気掃除機
２００  コンセント
Ａ１，Ａ２  空気
【図１】
2006034492.tif 000003
【図２】
2006034492.tif 000004
【図３】
2006034492.tif 000005